(57)【特許請求の範囲】
【請求項１】
第１の部材に設けられた挿入空間に所定方向に沿って移動可能に挿入される裏当部材と、前記挿入空間を形成する周壁に設けられた開口を介して前記裏当部材と第２の部材とを該周壁を挟んで締結する締結手段とを具備し、前記周壁の外面と前記第２の部材に設けられた結合面とを互いに密接させてこれら第１の部材及び第２の部材を結合するものであって、
前記第２の部材に、前記挿入空間に挿入した裏当部材の該第２の部材に対する相対的な位置を位置決めする裏当部材位置決め部を設けており、
前記挿入空間が開口幅よりも広幅の内奥部を有する溝であり、その底壁面に凹部を設ける一方、前記第２の部材には前記溝の開口を貫通する突起を突出させて設け、
前記突起と前記凹部との係わり合いによって前記第２の部材の前記第１の部材に対する相対的な位置を位置決めする位置仮決め手段を構成し、かつ前記突起を前記裏当部材位置決め部として利用してその上向き面を前記裏当部材の下向き面に当接させる部材の結合構造。
【請求項２】
前記裏当部材位置決め部が、前記裏当部材に当接して該裏当部材の少なくとも一方方向への移動を禁止する当接面を有するものである請求項１記載の部材の結合構造。
【請求項３】
前記裏当部材に突出子を設け、かつ前記裏当部材位置決め部として前記第２の部材に前記突出子と係わり合う凹陥部を設けて、該凹陥部に当接面を設定した請求項２記載の部材の結合構造。
【請求項４】
前記凹部を前記裏当部材の移動方向に沿って間欠的に複数設けた請求項１、２又は３記載の部材の結合構造。
【請求項５】
前記挿入空間が開口幅よりも広幅の内奥部を有する溝であり、前記裏当部材が前記溝の開口幅よりも大きい幅寸法を有するものである請求項１、２、３又は４記載の部材の結合構造。
【請求項６】
前記突出子が前記溝の開口を貫通している請求項３記載の部材の結合構造。
【請求項７】
前記締結手段がボルトであり、前記第２の部材に前記ボルトを挿通する孔を設けるとともに前記裏当部材には前記ボルトと係わり合うねじ孔を設けた請求項１、２、３、４、５又は６記載の部材の結合構造。
【請求項８】
前記挿入空間が上下方向成分を含む方向に延長して、前記裏当部材が該挿入空間内を上下方向成分を含む方向へ移動し得る請求項請求項１、２、３、４、５、６又は７記載の部材の結合構造。
【請求項９】
前記第１の部材がパネルであり、該パネルの枠に前記挿入空間を設けている請求項１、２、３、４、５、６、７又は８記載の部材の結合構造。
【請求項１０】
前記第２の部材が机に設けられ、前記第１の部材が前記机の天板の辺に沿って略垂直に設けられている請求項９記載の部材の結合構造。
【発明の詳細な説明】
【０００１】
【発明の属する技術分野】
本発明は、特に家具製品に適用されるのに好適な、部材の結合構造に関する。
【０００２】
【従来の技術】
家具製品その他の製造物の構成要素たる一の部材と他の部材とを結合する手段は種々存在するが、しばしば用いられる手段として、一の部材を他の部材と裏当部材とで挟んでこれら他の部材と裏当部材とを締結するものがある。特に、裏当部材がナットとしての機能を有するとき、前記他の部材にボルトを挿通して該ボルトを裏当部材にねじ込むことで一の部材と他の部材とを結合することができる。
【０００３】
【発明が解決しようとする課題】
上記の手段をとる場合に、一の部材に対する他の部材の取り付け位置を変更しようとするときには、他の部材の位置の変更に対応して裏当部材を移動する必要性が生じる。しかし、裏当部材を適切な位置に移動させることが困難であることも少なくない。特に、裏当部材が人の手の届きにくい部材の裏側あるいは内部に配置されるものであると、裏当部材を操作することが難しく、よって一の部材と他の部材とを結合するために障害となる。
【０００４】
一例として、机の天板の使用端側の辺を除く各辺に沿ってデスクトップパネルや幕板、あるいはこれらを兼ねるようなパネルを取り付けることを考える。通常、このようなパネルは、天板や脚体にブラケットを介在させるなどして取り付けられるようにしてある。そして、パネルの所要部位に裏当部材を配置しこの裏当部材とブラケットとを締結してパネルとブラケットとを結合するとき、該パネルの取り付け高さを調整しようとするならば、裏当部材を高さ方向に移動する必要がある。ところが、裏当部材を高さ方向に移動させようとすれば、当然裏当部材は落下し得る状態となる。従って、裏当部材が外部より操作しずらい位置に配置されるようなものならば、その適切な位置への移動が困難なものとなり、ひいてはパネルとブラケットとを結合する作業に支障を来す。
【０００５】
以上の問題に鑑みて、本発明は、一の部材と他の部材とをナット等の裏当部材を用いて結合せしめる場合において、裏当部材の位置決めを容易に実行することができるような部材の結合の構造を実現することを、解決すべき所期の課題とするものである。
【０００６】
【課題を解決するための手段】
上述の課題を解決すべく、本発明では、第１の部材に設けられた挿入空間に所定方向に沿って移動可能に挿入される裏当部材と、前記挿入空間を形成する周壁に設けられた開口を介して前記裏当部材と第２の部材とを該周壁を挟んで締結する締結手段とを具備し、前記周壁の外面と前記第２の部材に設けられた結合面とを互いに密接させてこれら第１の部材及び第２の部材を結合するものであって、前記第２の部材に、前記挿入空間に挿入した裏当部材の該第２の部材に対する相対的な位置を位置決めする裏当部材位置決め部を設けた部材の結合構造を構成するものとした。
【０００７】
このようなものであれば、第１の部材に対する第２の部材の相対位置を所定方向に沿って変化させたとしても、裏当部材を第２の部材の移動に対応した適切な位置に導くことができる。よって、部材を結合する作業が容易となる。
【０００８】
簡単な構造で裏当部材の位置決めを可能とするには、前記裏当部材位置決め部が、前記裏当部材に当接して該裏当部材の少なくとも一方方向への移動を禁止する当接面を有するものを挙げることができる。このとき、第２の部材に突出部分を形成してこの突出部分の適宜の表面を当接面として用いてもよく、裏当部材に突出部分を形成し、かつ第２の部材の適宜の部位に裏当部材の突出部分と当接する当接面を設定してもよい。当接面は、裏当部材の移動方向に対して略垂直なものとして構成されることが望ましい。
【０００９】
前記裏当部材に突出子を設け、かつ前記裏当部材位置決め部に前記突出子と係わり合う凹陥部を設けて、該凹陥部に当接面を設定したものであれば、裏当部材の一方方向への移動を禁止するとともに、前記一方方向と垂直な方向について裏当部材の位置決めを行うことも可能となる。
【００１０】
加えて、前記第１の部材の前記第２の部材に対する相対的な位置を位置決めする位置仮決め手段を設け、該位置仮決め手段を利用して前記裏当部材位置決め部を構成することで、裏当部材の位置決めと、第１の部材と第２の部材との位置決めとを一の構造により行うことができ、簡単な構成でありながら部材の結合作業をより容易なものとする。
【００１１】
具体的な構成例としては、前記位置仮決め手段が、前記第２の部材より突出する突起と、前記挿入空間における前記裏当部材の裏側の周壁に設けた凹部とを係わり合わせてなるものを挙げることができる。そして、前記突起が前記裏当部材に当接して該裏当部材の少なくとも一方方向への移動を禁止する当接面を有するものとする。かつ、前記凹部を前記裏当部材の移動方向に沿って間欠的に複数設けることで、複数の凹部の少なくとも一つを選択し前記突起を挿入し得る。よって、前記第１の部材の前記第２の部材に対する相対的な位置を段階的な移動することができるようになる。
【００１２】
あるいは、第１の部材に設けられた挿入空間に所定方向に沿って移動可能に挿入される裏当部材と、前記挿入空間を形成する周壁に設けられた開口を介して前記裏当部材と第２の部材とを該周壁を挟んで締結する締結手段とを具備し、前記周壁の外面と前記第２の部材に設けられた結合面とを互いに密接させてこれら第１の部材及び第２の部材を結合するものであって、前記挿入空間における前記裏当部材の裏側の周壁に、前記挿入空間に挿入した裏当部材の位置を位置決めする裏当部材位置決め部を設けた部材の結合構造としてもよい。このとき、裏当部材位置決め部は、裏当部材と係わり合って裏当部材の第１の部材に対する相対的な位置決めを行うものとしてもよく、上記の第２の部材に設けた突起等とともに裏当部材の第１の部材に対する相対的な位置決めを行うものとしてもよい。かつ、前記周壁に前記裏当部材の移動方向に沿って間欠的に設けた複数の凹部であれば、複数の凹部のうちの少なくとも一つを選択的に利用することで、段階的に第１の部材の第２の部材に対する取り付け位置を裏当部材の移動方向に沿って変更可能となる。
【００１３】
前記挿入空間が開口幅よりも広幅の内奥部を有する溝であれば、比較的簡単な形状であり、押出成形や板金材の折り曲げ加工等の方法で容易に形成可能である。そして、前記裏当部材が前記溝の開口幅よりも大きい幅寸法を有するものであれば、溝の延長方向にスライド移動可能でありながら溝内より脱出してしまうことがない。このことは、裏当部材を挿入空間内で適宜の位置に移動させ部材を結合させるときに有効に働く。また、裏当部材や、上記の凹部を周壁により隠蔽して製品の格調を高める効果をも奏し得る。前記突出子若しくは前記突起は、溝の開口を貫通させることが好ましい。
【００１４】
第２の部材と裏当部材とを締結する締結手段としてはボルトを用いることが好適であり、前記第２の部材に前記ボルトを挿通する孔を設けるとともに前記裏当部材には前記ボルトと係わり合うねじ孔を設けることで、第１の部材と第２の部材とを着脱可能とした結合構造を構成できる。
【００１５】
以上のような部材の結合構造により、部材の結合作業における裏当部材の位置決めを簡単に実行できる。従って、前記挿入空間が上下方向成分を含む方向に延長して、前記裏当部材が該挿入空間内を上下方向成分を含む方向へ移動し得るような場合、即ち裏当部材が落下して適宜の位置に配置することが困難な場合に、本発明を適用することが特に効果的である。
【００１６】
本発明の適用対象の一例として、デスクトップパネル若しくは幕板、またはその双方の機能を兼ねるもの、あるいは仕切壁そのパネルを、適宜の部材に取り付ける場合が考えられる。このとき、パネルを前記第１の部材とし、該第１の部材たるパネルの枠に前記挿入空間を設ける。かつ、所要の机に前記第２の部材を設ければ、前記パネルを前記机の天板の辺に沿って略垂直に設けることができる。
【００１７】
【発明の実施の形態】
以下、本発明の一実施形態について図面を参照して説明する。本実施形態に係る机Ｔは、図１ないし図３に示すように、天板１と、この天板１の両側縁部をそれぞれ支持する左右一対の脚体２とを備え、第１の部材たるパネル３１、３２を前記天板１の使用辺１ｃを除く各辺、すなわち反使用辺１ａ、側辺１ｂに沿って平行にそれぞれ取り付け得るように構成してある。
【００１８】
天板１は、例えば隣り合う辺１ａ及び辺１ｂ、又は辺１ａ及び辺１ｃが互いに直交する矩形状をなすものである。
【００１９】
脚体２は、前後に対称形状をなすもので、床面に接地する前後に延びるベース２１と、このベース２１の中央から起立する支柱２２と、この支柱２２の上端から前後に延び、天板１の側辺部下面に固定されて該天板１を支持する天板受け２３とを備えた金属製のものである。本実施形態において支柱２２はシリンダ構造をなすもので、その上下寸法を変更することにより天板１の床面からの高さを調節できるように構成してある。
【００２０】
パネル３１、３２は、パネル本体３ａと枠体３ｂとからなる矩形状をなすもので、その各側縁部を脚体２から延ばした一対の第２の部材たるブラケット４２により着脱可能に支持させてある。またこれらパネル３１、３２は、天板の各辺１ａ、１ｂに対応する幅寸法を有し、取付状態で天板１の上下に亘り、幕板兼デスクトップパネルとしての役割を担う。
【００２１】
しかして、本実施形態では、図４ないし図７等に示すように、前記天板受け２３に、天板１の奥側隅部１ｄに向かって延びる支持部材４を取り付け、その支持部材４から２つのブラケット４２Ａ、４２Ｂをそれぞれさらに外方に延ばし、それらブラケット４２Ａ、４２Ｂの先端部に前記隅部１ｄを境にして隣り合う各パネル３１、３２の側縁部をそれぞれ取り付けるようにしている。
【００２２】
詳述すれば、支持部材４は、それぞれが起立板状をなす対称な一対の部材要素４３、４４からなるものであり、途中に段差があってその基端部４Ａの上面が先端部４Ｂの上面より上方となるような形状をなす。そして、前記基端部４Ａに天板受け２３への取付に利用する取付部を設けるとともに、先端部４Ｂに各ブラケット４２Ａ、４２Ｂを支持することによって間接的にパネル３１、３２を支持するための支持部を設けている。なお、本実施形態において各パネル３１、３２の隣接しない側の側縁部は、天板受け２３に単独で取り付けた部材要素４３、４４に、ブラケット４２Ａ、４２Ｂを介して支持させている。
【００２３】
本実施形態における前記取付部は、上下に貫通する取付ねじ挿通孔４ａであり、この取付ねじ挿通孔４ａに、下方から挿入した支持部材取付ねじＢ１を、天板受け２３の先端部下面に開口させた取付ねじ孔Ｎ１にねじ止めすることにより、この支持部材４を天板受け２３の下面に固定している。さらに本実施形態における前記取付ねじ挿通孔４ａは、当該支持部材４の延長方向に沿って各部材要素４３、４４毎に複数が設けてあって、どの取付ねじ挿通孔４ａを天板受け２３への取付に用いるかによって、支持部材４全体でも、部材要素４３、４４単独でも、その取付位置を、天板１の反使用辺１ａに直交する方向に沿って段階的に変更可能に構成している。このことにより、例えば奥行き寸法の異なる各種天板１に対しても、共通する脚体２及び支持部材４を用いながら、支持部材４の先端部の位置を天板１の隅部１ｄに設定することができる。
【００２４】
なお、支持部材４の基端部上面から突出するピンＰは、天板受け２３の先端部下面に設けられたピン穴Ｈに嵌合することにより支持部材４の取付位置を規定する位置決め用のものである。また、各部材要素４３、４４は、天板受け２３への取付により内側起立面同士が近接又は密接して支持部材４として一体的なものとなるところ、これら各部材要素４３、４４の内側起立面には、横断面半円形状をなす溝ｍが上下に亘って複数設けてあり、支持部材４として一体化させたときに、対応する一対の溝ｍ、ｍによって下方に開口する横断面円形状の穴Ｍが複数形成されるようにしてある。この穴Ｍは、例えば天板下方に配置する配線ダクト等の支持や位置決めに用いることができる。
【００２５】
一方、本実施形態における前記支持部は、上下に貫通するブラケット取付ねじ貫通孔４ｂがその役割を担う。本実施形態では各部材要素４３、４４に直列して２つずつ前記ブラケット取付ねじ貫通孔４ｂが設けてあって、前記部材要素４３、４４を支持部材４として一体化させた場合に、４つのブラケット取付ねじ貫通孔４ｂそれぞれが平面視正方形の頂点に位置するようにしてある。そしてそれらのうちの対角に位置する２つを支持部として利用するようにしている。しかしてこれら対角に位置する２つのブラケット取付ねじ貫通孔４ｂは、天板１の隅部１ｄを境にして取り付けるべき隣り合うパネル３１、３２の中心線同士がなす角α（９０度）の平面視２等分線Ｌに対し、互いに対称な位置となるように設定してある。本実施形態では、天板１の反使用辺１ａとそれに沿って取り付けるパネル３１との離間距離を、天板１の側辺１ｂとそれに沿って取り付けるパネル３２との離間距離よりも大きくなるように設定しているため、隣り合うパネル３１、３２のなす角の平面視２等分線Ｌは、天板１の隣り合う辺１ａ、１ｂのなす角の平面視２等分線とは一致しない。但し、前記離間距離をそれぞれ等しくなるようにした場合には、隣り合うパネル３１、３２のなす角の平面視２等分線Ｌは、天板１の隣り合う辺１ａ、１ｂのなす角の平面視２等分線と合致するため、それを基準に各ブラケット取付ねじ貫通孔４ｂを互いに対称な位置となるように設定してもよい。
【００２６】
なお、これらブラケット取付ねじ貫通孔４ｂの開口部には、ブラケット取付ねじ貫通孔４ｂと同軸をなす座繰り穴４ｃが形成してある。
【００２７】
ブラケット４２Ａ、４２Ｂは、例えば前記支持部４ｂに基端部を支持させたアーム部４２１、４２２と、このアーム部４２１、４２２の先端部から一体に延びてパネル３１、３２を支持するブラケット本体４２３とを備えたものである。本実施形態では上下に離間して水平に延びる一対のアーム部４２１、４２２を設け、ブラケット本体４２３を鉛直方向に延びるものとすることにより、このブラケット４２の全体形状をコの字状にしている。なお、下側のアーム部４２２がなくともよいのはもちろんである。
【００２８】
しかして下側アーム部４２２の基端部には、ブラケット取付ねじＢ２を下方から挿通させるためのブラケット取付ねじ挿通孔４ｄを設ける一方、上側アーム部４２１の基端部には当該ブラケット取付ねじＢ２をねじ止めするための有底ブラケット取付ねじ穴４ｅを、前記ブラケット取付ねじ挿通孔４ｄと同軸線上に形成している。さらに、これらアーム部４２１、４２２の対向する面の一方又は両方（本実施形態では上側アーム部４２１）には、前記支持部材４の座繰り穴４ｃに嵌合する横断面円形状の凸部４ｆを、前記ブラケット取付ねじ挿通孔４ｆと同軸線上に形成している。
【００２９】
そして、前記支持部材４の先端部をこれらアーム部４２１、４２２の基端部に上下から挟み込ませて前記座繰り穴４ｃと凸部４ｆとを嵌合させることにより、ブラケット４２Ａ、４２Ｂを支持部材４に水平旋回可能に組み付け得るようにしている。
【００３０】
またブラケット４２Ａ、４２Ｂの固定に際しては、その旋回角度を調整した後又は調整しつつ、ブラケット取付ねじＢ２を下方から下側アーム部４２２のブラケット取付ねじ挿通孔４ｄ及び支持部材４のブラケット取付ねじ貫通孔４ｂに貫通させた後、上側アーム部４２１のブラケット取付ねじ穴４ｅにねじ止めするようにしてある。なお本実施形態では、このアーム部４２１、４２２を、平面視前記２等分線Ｌと略平行をなし外方に延びるように取り付ける。
【００３１】
ブラケット本体４２３は、鉛直方向に延びるブロック状をなすもので、その一方の側面を内方に湾曲させ、パネル側縁部を両側から抱くようにしてパネル３１、３２を支持するものである。しかして本実施形態では、このブラケット本体４２３とパネル３１、３２の側縁部との間に形成した部材の取付構造たるパネル支持構造を利用して、当該パネル３１、３２を上下に位置変更可能に支持するようにしている。
【００３２】
このパネル支持構造は、パネル３１、３２の側縁に沿って開口し、その開口６１から奥に向かうほど幅が広がるように形成した裏当部材挿入溝６と、前記開口６１より幅広をなし前記挿入溝６にその延長方向（上下方向）に沿って移動可能に挿入した裏当部材７と、その裏当部材７とブラケット本体４２３とを互いに引き寄せることによってブラケット本体４２３の側面に設けた支持面４２ａをパネル３１、３２の側縁部外面３ａａに押圧し、当該パネル３１、３２を辺１ａ、１ｂに平行な姿勢でブラケット本体４２３（ブラケット４２Ａ、４２Ｂ）に固定する固定手段８とを備えたものである。
【００３３】
前記挿入溝６は、パネル３１、３２の側部枠体３ｂに、押し出し成形等により上下に亘って形成されたものである。本実施形態において、挿入空間とは該挿入溝６内の空間を指し、挿入空間の周壁とは、挿入溝６を形成する対向壁６２並びに底壁６３を指す。また、周壁の外面とは対向壁６２の外面、即ちパネル３１、３２の側縁部外面３ａａを指す。
【００３４】
裏当部材７は、挿入溝６の断面形状と概略等しい断面形状の棒状をなす裏当部材本体７１と、この裏当部材本体７１の上端部から一体に突出し、前記挿入溝６の開口幅よりも幅狭の突出子７２とを備えるものであり、その中央にはパネル固定ねじ孔８ａを水平に貫通させてある。
【００３５】
また固定手段８は、前記支持面４２ａに開口するようにブラケット本体４２３に水平に貫通させたパネル固定ねじ挿通孔８ｂに、外側から締結手段たるパネル固定ねじＢ３を挿通し、そのパネル固定ねじＢ３を前記裏当部材７のパネル固定ねじ孔８ａに締着することにより、裏当部材７とブラケット本体４２３とを互いに引き寄せ、結合面たるブラケット本体４２３の支持面４２ａをパネル３１、３２の側縁部外面３ａａに押圧するようにしたものである。
【００３６】
さらに本実施形態では、第１の部材たるパネル３１、３２を第２の部材たるブラケット本体４２３に固定する前にその取付位置（取付高さ）を仮決め可能に構成した位置仮決め手段たるパネル位置仮決め手段と、裏当部材７をブラケット４２Ａ、４２Ｂに引き寄せる前に裏当部材７のブラケット４２Ａ、４２Ｂに対する位置を仮決め可能に構成した裏当部材位置決め手段とを設けている。これらは、パネル３１、３２をブラケット４２Ａ、４２Ｂに固定する際の作業容易化を図るべく設けられたものである。
【００３７】
詳述すると、前記パネル位置仮決め手段は、前記挿入溝６の底面に開口する複数の凹部９１（本実施形態では挿入溝６の底壁６３を貫通する貫通孔）を、当該挿入溝６の延長方向に沿って間欠的に設ける一方、ブラケット本体４２３に前記挿入溝６の開口幅より幅狭の突起９２を設け、その突起９２が挿入溝６の開口６１を挿通して前記凹部９１に係り合うように構成してなるものである。そして、前記突起９２を所望の凹部９１に係り合わせることにより、パネル３１、３２をブラケット４２Ａ、４２Ｂに対し複数段階に仮位置決めできるようにしてある。
【００３８】
裏当部材位置決め手段は、ブラケット４２Ａ、４２Ｂに形成した当接面と裏当部材７に形成した被当接面とを当接させることにより、裏当部材７の一方方向へのスライドを禁止し、裏当部材７のブラケット４２Ａ、４２Ｂに対する位置を仮決めできるようにしたものである。具体的には、ブラケット４２Ａ、４２Ｂには上向き面を設ける一方、裏当部材７には下向き面を設け、これらを当接させることにより裏当部材７の下動を禁止し、その位置において裏当部材７のパネル固定ねじ孔８ａとブラケット本体４２３のパネル固定ねじ挿通孔８ｂとが同一軸線上に略並ぶように構成してある。
【００３９】
本実施形態において裏当部材７の下向き面は、裏当部材本体７１からブラケット４２Ａ、４２Ｂ側に突出させた突出子７２の下面及び裏当部材本体７１の下面であり、ブラケット４２Ａ、４２Ｂの上向き面は、ブラケット本体４２３に上方から切り欠くように形成した凹陥部４２５の上向き面４２ｂ及び突起９２の上面がそれにそれぞれ相当する。本実施形態にあって、第２の部材に設けるべき裏当部材位置決め部とは、ブラケット４２Ａ、４２Ｂにおける当接面を有する部位、即ち、凹陥部４２５、突起９２を指す。
【００４０】
以上に述べた本実施形態によれば、第１の部材たるパネル３１、３２に設けられた挿入溝６内の挿入空間に、所定方向即ち挿入溝６の延長方向に沿って移動可能に挿入される裏当部材７と、前記挿入空間を形成する挿入溝６の周壁に設けられた開口６１を介して裏当部材７と第２の部材たるブラケット４２とを該周壁を挟んで締結する締結手段たるパネル固定ねじＢ３とを具備し、前記周壁の外面３ａａと前記ブラケット４２に設けられた結合面たる支持面４２ａとを互いに密接させてこれらパネル３１、３２及びブラケット４２を結合するものであって、前記ブラケット４２に、前記挿入空間に挿入した裏当部材７の該ブラケット４２に対する相対的な位置を位置決めする裏当部材位置決め部を設けた部材の結合構造を構成したことにより、パネル３１、３２に対するブラケット４２の相対位置、即ちブラケット４２に対するパネル３１、３２の相対位置を挿入溝６の延長方向に沿って変化させたとしても、裏当部材７をブラケット４２の位置に対応した適切な位置に導き、裏当部材７のパネル固定ねじ孔８ａとブラケット本体４２３のパネル固定ねじ挿通孔８ｂとが同一軸線上に略並ぶようにすることができる。従って、ブラケット４２とパネル３１、３２とを結合する作業を、確実にかつ容易に実行することができる。しかも本実施形態では、脚体２の天板受け２３の高さ位置を調整可能としている。つまり、ブラケット４２の絶対位置が挿入溝６の延長方向に平行に変化し得る。このことと相まって、パネル３１、３２の絶対位置を挿入溝６の延長方向に平行に自由に設定することが可能となっている。
【００４１】
ブラケット４２に設ける裏当部材位置決め部を、前記裏当部材７に当接して該裏当部材７の少なくとも一方方向への移動を禁止する当接面を有するものとして構成したことにより、簡単な構造で裏当部材７の位置決めが可能となる。パネル３１、３２には、裏当部材７の位置決めのために特に複雑な加工を施す必要がない。
【００４２】
前記裏当部材７に突出子７２を設け、かつ前記裏当部材位置決め部に前記突出子７２と係わり合う凹陥部４２５を設けて、該凹陥部４２５に当接面４２ｂを設定したものであれば、裏当部材７の一方方向への移動を禁止するとともに、凹陥部４２５の当接面４２ｂに略垂直な面を利用して、裏当部材７の前記一方方向と垂直な方向への移動を抑止することも可能である。よって、裏当部材７のブラケット４２に対する位置決めをより確実にし、部材の結合作業の容易化に資するものとなる。
【００４３】
加えて、前記パネル３１、３２の前記ブラケット４２に対する相対的な位置を位置決めするパネル位置仮決め手段を設け、該パネル位置仮決め手段を利用して前記裏当部材位置決め部を構成することで、裏当部材７の位置決めと、パネル３１、３２とブラケット４２との位置決めとを一の構造により行うことができ、簡単な構成でありながら部材の結合作業をより容易なものとする。
【００４４】
本実施形態では、周壁の開口６１に対向する壁面、即ち底壁６３の壁面に凹部９１を設け、該凹部９１にブラケット４２より突出し前記裏当部材７に当接して該裏当部材７の少なくとも一方方向への移動を禁止する当接面を有する突起９２を挿入することで裏当部材位置決め部を構成している。同時に、前記突起９２と、前記挿入空間における前記裏当部材７の裏側の周壁に設けた凹部とを係わり合わせてパネル位置仮決め手段を構成している。このような構造により、パネル３１、３２とブラケット４２との相対位置を位置決めする突起９２を、裏当部材７の位置決めにも利用することができる。よって、ブラケット４２、裏当部材７の形状を徒に複雑化させる必要がなく、製造コストの削減にもつながる。さらに、前記凹部９１を前記裏当部材７の移動方向に沿って間欠的に複数設けることで、複数の凹部９１の少なくとも一つを選択し前記突起９２を挿入し得る。よって、前記パネル３１、３２の前記ブラケット４２に対する相対的な位置を段階的な移動することができるようになる。
【００４５】
かつこのものは、前記挿入空間における前記裏当部材７の裏側の周壁である底壁６３に、前記挿入空間に挿入した裏当部材７の位置を位置決めする裏当部材位置決め部を設けた部材の結合構造であるともいえる。より具体的に言えば、周壁の内壁面に設けた凹部９１が、前記突起９２を挿入することで裏当部材位置決め部としての機能を発揮するものとなっている。裏当部材の裏面に存在することとなり、ねじの邪魔にならない、かつ、前記凹部９１を前記裏当部材７の移動方向に沿って間欠的に複数設けており、複数の凹部９１のうちの少なくとも一つを選択的に利用し、段階的に裏当部材７のパネル３１、３２に対する相対的な位置を変更することができる。従って、裏当部材７が位置決めされる位置にブラケット４２を配置するようにして、パネル３１、３２に対するブラケット４２の相対的な取り付け位置を適宜に設定して双方を結合させることが可能となる。
【００４６】
前記挿入空間が開口幅よりも広幅の内奥部を有する挿入溝６であれば、比較的簡単な形状であり、押出成形や板金材の折り曲げ加工等の方法で容易に形成可能である。そして、前記裏当部材７が前記挿入溝６の開口幅よりも大きい幅寸法を有するものであれば、挿入溝６の延長方向にスライド移動可能でありながら開口６１から挿入溝６の外へ脱出してしまうことがない。このことにより、パネル３１、３２とブラケット４２とを結合すべく裏当部材７を挿入空間内で適宜の位置に移動させるときに、該裏当部材７が不適切な位置に移動してしまったり適切な移動範囲から脱出してしまったりすることを防止できるため、作業が一層簡単なものとなる。また、裏当部材７や、上記の凹部９１を周壁により隠蔽して製品の格調を高める効果をも奏し得る。加えて、裏当部材７は、挿入溝６の断面形状と概略等しい断面形状を有しており、裏当部材７の挿入溝６内における移動方向に対して垂直な方向成分を含む移動が抑止される。このことにより、ブラケット４２と裏当部材７との締結作業が容易となり、パネル３１、３２とブラケット４２との結合作業を簡単にできるようになる。
【００４７】
前記突出子７２並びに前記突起９２を、挿入溝６の開口６１に貫通させている。即ち、パネル固定ねじＢ３と突出子７２、突起９２とが開口６１を共用するようにしていることにより、パネル３１、３２に複数の開口を設ける等の複雑な加工を施す必要がない。さらには、ブラケット４２と裏当部材７との締結をゆるめることのみによって、パネル３１、３２を挿入溝６の延長方向に沿って移動させることが可能となる。そして、裏当部材位置決め部の存在により、パネル３１、３２とブラケット４２とを再び結合する際の作業も容易である。
【００４８】
ブラケット４２と裏当部材７とを締結する締結手段としてボルト、即ちパネル固定ねじＢ３を用いており、前記ブラケット４２に前記パネル固定ねじＢ３を挿通するパネル固定ねじ挿通孔８ｂを設けるとともに前記裏当部材７にはパネル固定ねじＢ３と係わり合うねじ孔を設けることで、パネル３１、３２とブラケット４２とを着脱可能とした結合構造を既存技術を利用して簡単に構成できる。また、開口６１を大きく広げる必要もない。しかも、パネル３１、３２の位置を変更したい場合にはパネル固定ねじ挿通孔８ｂをゆるめブラケット４２との締結の強度を弱めればよい。
【００４９】
この結合構造により、パネル３１、３２とブラケット４２との結合作業における裏当部材７の位置決めを簡単に実行できる。従って、前記挿入空間が上下方向成分を含む方向に延長して、前記裏当部材７が該挿入空間内を所定方向即ち上下方向成分を含む方向へ移動し得るような場合、言い換えるならばブラケット４２に対するパネル３１、３２の相対的な位置が上下方向に変化し得るようにしたい場合にあっても、裏当部材７を適宜の位置に容易に配置することができる。
【００５０】
パネル３１、３２の枠即ち枠体３ｂに前記挿入空間を設けるようにしていることから、パネル本体３ａに枠体３ｂを取り付けて本発明に係る第１の部材を簡単に構成できる。しかもこのものは、机Ｔの天板１の辺１ａ、１ｂに沿って略垂直に設けることができ、デスクトップパネル若しくは幕板、またはその双方の機能を兼ねるものとしての機能を発揮するようになる。
【００５１】
なお、本発明は以上に述べた実施形態に限られるものではない。例えば、挿入空間は、溝６として形成されるとは限られない。開口６１もまた、上記実施形態のような連続した単一のものには限られず、複数の孔として構成されてもよい。締結手段はボルトＢ３には限られず、クランプのごとき装置を締結手段として用いることを妨げない。
【００５２】
加えて、本発明の変形例の一として、図８に示すような構成とすることも考えられる。本例では、上記実施形態における裏当部材７の代わりに、弾性を有する樹脂等を器材として構成した裏当部材７Ｘを用いている。該裏当部材７Ｘの特徴として、挿入空間を形成する周壁の内壁面に設けた凹部９１と係合する凸部７Ｘ１を設けている。本例によれば、凹部９１が裏当部材位置決め部としての機能を発揮する。その他各部の構成は上記実施形態と同様のものとすることが可能であるため、説明を略す。
【００５３】
その他本発明は上記各図示例に限られず、その趣旨を逸脱しない範囲で種々変形が可能であるのは言うまでもない。
【００５４】
【発明の効果】
以上に詳述したように、本発明によれば、一の部材と他の部材とをナット等の裏当部材を用いて結合せしめる場合において、裏当部材の位置決めを容易に実行することができ、部材の結合作業が容易なものとなる。
【図面の簡単な説明】
【図１】本発明の一実施形態における机の全体斜視図。
【図２】同実施形態における机の全体正面図。
【図３】同実施形態における机の全体側面図。
【図４】同実施形態における支持部材、ブラケット、パネル等を示す分解斜視図。
【図５】同実施形態における机の隅部を示す部分底面図。
【図６】同実施形態における机の隅部を示す部分側面図。
【図７】同実施形態におけるパネルの取付部分を示す部分縦断面図。
【図８】裏当部材の変形例を示す部分縦断面図。
【符号の説明】
Ｔ…机
１…天板
１ａ…辺（反使用辺）
１ｂ…辺（側辺）
３１、３２…第１の部材（パネル）
４２Ａ、４２Ｂ…第２の部材（ブラケット）
６…挿入空間（挿入溝）
６１…開口
７…裏当部材
７２…突出子
９１…凹部
９２…突起
Ｂ３…締結手段（パネル固定ねじＢ３）
【図１】
0004068362.tif 000002
【図２】
0004068362.tif 000003
【図３】
0004068362.tif 000004
【図４】
0004068362.tif 000005
【図５】
0004068362.tif 000006
【図６】
0004068362.tif 000007
【図７】
0004068362.tif 000008
【図８】
0004068362.tif 000009